(57)【要約】【課題】スライダ部分とヘッドバンドとが略同等の幅を有するヘッドホンを提供する。【解決手段】ヘッドバンドと、ヘッドバンドの両端に設けられており、板状部と、該板状部を挟む挟持部とから構成されているスライド機構と、スライド機構の下端に設けられ、音声出力部を収納するハウジングとを備えるヘッドホンである。【選択図】図１
2016015609.tif 000002
【特許請求の範囲】
【請求項１】
ヘッドバンドと、
該ヘッドバンドの両端に設けられており、板状部と、該板状部を挟む挟持部とから構成されているスライド機構と、
該スライド機構の下端に設けられ、音声出力部を収納するハウジングと
を備えるヘッドホン。
【請求項２】
前記ヘッドバンドと前記板状部は略同等の幅を有するように構成されている
請求項１に記載のヘッドホン。
【請求項３】
前記板状部と前記挟持部は略同等の幅を有するように構成されている
請求項２に記載のヘッドホン。
【請求項４】
前記板状部は前記ヘッドバンド側に設けられており、前記挟持部は前記ハウジング側に設けられており、前記挟持部が前記板状部に対してスライドする
請求項１に記載のヘッドホン。
【請求項５】
前記挟持部は前記ヘッドバンド側に設けられており、前記板状部は前記ハウジング側に設けられており、前記板状部が前記挟持部に対してスライドする
請求項１に記載のヘッドホン。
【請求項６】
さらに、前記板状部と挟持部の幅方向における位置のずれを防止する位置ずれ防止機構を備える
請求項１に記載のヘッドホン。
【請求項７】
前記位置ずれ防止機構は、前記板状部に設けられた、該板状部の長手方向に沿った縦長の係合受け部と、前記挟持部に設けられており、前記係合受け部に入り込む挿入部とから構成されている
請求項６に記載のヘッドホン。
【請求項８】
前記挟持部は、外面部と内面部とからなり、
前記係合受け部は、前記板状部の長手方向に沿った縦長の穴であり、
前記挿入部は、前記係合受け部に挿通され、前記外面部と前記内面部とを接続する
請求項７に記載のヘッドホン。  
【請求項９】
前記挟持部の前記板状部側に面に保護部が設けられている
請求項１に記載のヘッドホン。
【発明の詳細な説明】
【技術分野】
【０００１】
この技術は、ヘッドホンに関する。
【背景技術】
【０００２】
従来から、頭部サイズへの追従のためにスライド機構を有するヘッドホンが多数提案されている。そのうちの一つに、ヘッドバンドの内部に、スライダ部分を潜り込ませた構造のものがある（特許文献１）。
【先行技術文献】
【特許文献】
【０００３】
【特許文献１】特開２０１２−５４７８０号公報
【発明の概要】
【発明が解決しようとする課題】
【０００４】
また、ヘッドバンドの外側にスライド部分を張り出させた構造のもの、バンドとスライダを上下に重ね合わせた構造などがある。しかし、特許文献１の図４に示されるような、ヘッドバンドの内部に、スライダ部分を潜り込ませた構造のものは、スライダとヘッドバンドの幅に大きな差が生じたり、ヘッドバンド部分が、ヘッドバンドの厚みに更にスライダ部分の厚みを加えた分厚いものになってしまっていた。また、スライダを縮めたり伸ばしたりした際に、段差を生じ、段差が生じることで発生する角部が使用時に痛みを生じる原因となり易かったり、手を挟みこむ原因となり易かったりと改善余地があった。
【０００５】
本技術はこのような点に鑑みなされたものであり、スライダ部分とヘッドバンドとが略同等の幅を有するヘッドホンを提供することを目的とする。
【課題を解決するための手段】
【０００６】
上述した課題を解決するために、本技術は、ヘッドバンドと、ヘッドバンドの両端に設けられており、板状部と、板状部を挟む挟持部とから構成されているスライド機構と、スライド機構の下端に設けられ、音声出力部を収納するハウジングとを備えるヘッドホンである。
【発明の効果】
【０００７】
本技術によれば、ヘッドバンドとスライダの幅を略同等のものにすることができる。
【図面の簡単な説明】
【０００８】
【図１】図１は、本技術の第１の実施の形態に係るヘッドホンの外観構成を示す正面図である。
【図２】図２は、ヘッドホンの外観構成を示す正面図である。
【図３】図３は、ヘッドホンの外観構成を示す側面図である。
【図４】図４Ａは、スライド機構を構成する板状部を示す図であり、図４Ｂはスライド機構を構成する挟持部を示す図である。
【図５】図５は、板状部が挟持部に挟持されている状態を外面部を除いて示した図である。
【図６】図６は、本技術の第２の実施の形態に係るヘッドホンの外観構成を示す正面図である。
【図７】図７は、ヘッドホンの外観構成を示す正面図である。
【図８】図８は、ヘッドホンの外観構成を示す側面図である。
【図９】図９Ａは、スライド機構を構成する板状部を示す図であり、図９Ｂはスライド機構を構成する挟持部を示す図である。
【図１０】図１０は、本技術に係るヘッドホンの第１の変形例を示す側面図である。
【図１１】図１１Ａは、第２の変形例に係るスライド機構を構成する板状部を示す図であり、図１１Ｂは第２の変形例に係るスライド機構を構成する挟持部を示す図である。
【図１２】図１２Ａは、第３の変形例に係るヘッドホンの構成を示す側面図であり、図１２Ｂは第３の変形例に係るヘッドホンのスライド機構を上方にスライドさせた状態を示す側面図である。
【発明を実施するための形態】
【０００９】
以下、本技術の実施の形態について図面を参照しながら説明する。なお、説明は以下の順序で行う。
＜１．第１の実施の形態＞
［１−１.ヘッドホンの構成］
＜２．第２の実施の形態＞
［２−１.ヘッドホンの構成］
＜３．変形例＞
【００１０】
＜１．第１の実施の形態＞
［１−１.ヘッドホンの構成］
図１および図２は、ヘッドホン１００の外観構成を示す正面図である。また、図３は、ヘッドホン１００の外観構成を示す側面図である。ヘッドホン１００は、ヘッドバンド２０、スライド機構３０、ハンガ４０、ハウジング５０、コード６０およびイヤパッド７０により構成されている。図１は、スライド機構３０が収納方向である上方向にスライドしている状態であり、図２は、スライド機構３０が引き出し方向である下方向にスライドしている状態である。図３は、スライド機構３０が引き出し方向である下方向にスライドしている状態における側面図である。
【００１１】
ヘッドバンド２０はユーザの頭部に沿うように湾曲状に形成されており、装着状態においてユーザの頭頂部に接することによりヘッドホン１００全体を支持するものである。ヘッドバンド２０はプラスチックなどの合成樹脂、金属などを用いて構成されており、所定の剛性および弾性を有することにより可撓性を備えている。これにより、装着時にはハウジング５０およびイヤパッド７０をユーザの側頭部方向に押圧してヘッドホン１００の装着状態を維持することができる。
【００１２】
スライド機構３０は、ヘッドバンド２０の両端にそれぞれ設けられている。スライド機構３０は、板状部３１０と挟持部３２０とから構成されている。本実施の形態においては、ヘッドバンド２０と板状部３１０とは一つの板体により一体のものとして構成されている。ヘッドバンド２０はその板体の内面側にヘッドバンド２０の内面におけるユーザの頭頂部に当接する部分に緩衝材としてクッションが設けられることにより構成されている。なお、クッションに代えてゴムなどの弾性体をヘッドバンド２０の内面に設けるようにしてもよい。また、携帯時に中央で折り畳めるようにヘッドバンド２０にヒンジを設けてもよい。
【００１３】
スライド機構３０の構成の詳細は後述する。スライド機構３０を構成する挟持部３２０の下端にはハンガ４０が設けられている。スライド機構３０のスライド動作により、ハンガ４０をヘッドバンド２０に対して下方または上方に移動させることができる。ヘッドホン１００の装着時には、ユーザの頭部の大きさや耳と頭頂部との距離などに合わせてスライド機構３０の伸縮度合いを調整することにより、ハウジング５０およびイヤパッド７０をユーザの耳に対向する位置に合わせる事ができる。これにより、ユーザは自らの身体的特徴や嗜好に応じた装着感を得ることができる。一方、ヘッドホン１００を使用しない場合には、スライド機構３０を縮めた状態にすることにより、保管スペースを節約することができる。
【００１４】
ハンガ４０は挟持部３２０の先端に設けられており、ハウジング５０を回動自在に支持するものである。ハンガ４０は、一対の先端からそれぞれ内向きに突出する支持ピン（図示せず。）で軸支することによりハウジング５０を回動自在に支持する。これにより、ヘッドホン１００の装着時においては、ユーザの耳の周囲の形状に合わせてハウジング５０の向きが変わるため、ハウジング５０をユーザの側頭部の形状に適した状態で耳に対向させることができる。
【００１５】
ハウジング５０は、内部に音声処理回路、スピーカ（共に図示せず。）などを収容する収容部でとして機能するものである。ハウジング５０は例えば、プラスチックなどの合成樹脂を用いて形成されている。音声処理回路は例えば、スピーカを駆動する音声信号に対して、ノイズキャンセリング処理、信号増幅処理、イコライジング処理などの所定の音声信号処理を施すものである。スピーカは音声処理回路により処理が施された音声信号を音声として出力する音声出力手段である。
【００１６】
一対のコード６０はそれぞれ内部に左チャンネル用導線Ｌ、右チャンネル用導線Ｒ、グランド線Ｇなどが挿通しており、音声信号を伝送するためのものである。コード６０は、それぞれの一端は一対のハウジング５０内に収容された音声処理回路に接続される。この構成では、左右両方のハウジング５０内の音声処理回路にそれぞれ音声信号を供給するように２本のコードがそれぞれ左右のハウジング５０に接続されている。
【００１７】
また、コード６０の他端にはプラグ（図示せず。）が設けられている。そのプラグがＭＰ３プレーヤなどの音声再生装置（図示せず。）に接続されることにより、ヘッドホン１００が音声再生装置に接続される。
【００１８】
イヤパッド７０は、弾力性を有するように構成されており、ハウジング５０におけるユーザの側頭部に対向する側の面に設けられている。イヤパッド７０は、ハウジング５０とユーザの側頭部との間に介在することにより、ハウジング５０とユーザの側頭部間の緩衝部材として機能するものである。すなわち、イヤパッド７０は、ヘッドホン１００の装着時において、変形しにくい硬い素材で形成されたハウジング５０が直接ユーザの側頭部に接してユーザに不快感や痛みを与えることを防止するものである。
【００１９】
また、イヤパッド７０は、イヤパッド７０とユーザの側頭部により形成される空間を密閉することにより、低音域の再現性の向上などの音質の向上を図る役割も担う。また、スピーカから出力される音声が外部に漏れることを防ぐ役割も担う。さらに、イヤパッド７０は外部からの騒音を遮断してスピーカからの音声を聴取し易くする働きも担う。
【００２０】
イヤパッド７０は、発泡ウレタン・綿・化学繊維などの弾力性のある材料を用いて環状に形成された緩衝部９と、緩衝部９を被覆するカバー１０とから構成されている。ただし、緩衝部９を構成する材料は、それらに限定されるものではなく、適度な弾力性を有しているものであればいかなる材料であってもよい。
【００２１】
カバー１０は、緩衝部９の全面を覆い、ヘッドホン１００の装着時においてユーザの側頭部に直接接触するものである。カバー１０は例えば、天然皮革、合成皮革などの肌触りのよい材料で形成されることが好ましい。
【００２２】
次に、スライド機構３０の構成の詳細について説明する。図４は、スライド機構３０の構成を示す分解図である。図４は、挟持部３２０の外面部３２１を除いて分解した状態を示すものである。図５は、板状部３１０が挟持部３２０に挟持されている状態を外面部３２２を除いて示したものである。図５は、ヘッドホン１００の外側からの図であるため、板状部３１０の内面側に設けられているクリック係合部３１２、挟持部３２０の内面部３２２に設けられているクリック凹凸部３２３は破線で示してある。スライド機構３０は、板状部３１０および挟持部３２０とから構成されている。
【００２３】
第１の実施の形態においては、図１および図２に示されるように、板状部３１０はヘッドバンド２０と一体のものとして構成されており、ヘッドバンド２０の両端から下方に向けて延出するように構成されている。板状部３１０は、ヘッドバンド２０と略同等の幅を有するように構成されている。板状部３１０をヘッドバンド２０と一体のものとして構成することにより、ヘッドバンド２０と板状部３１０との間に継ぎ目ができないため、板状部３１０の強度を高めることができる。ただし、ヘッドバンド２０と板状部３１０は別個のものとして構成し、ヘッドバンド２０の両端に板状部３１０を取り付ける構成にしてもよい。その場合でもヘッドバンド２０と板状部３１０とは略同等の幅を有するように構成することができる。
【００２４】
図４および図５に示されるように、板状部３１０の幅方向略中央には、板状部３１０の長手方向に沿って伸びる直線状のスリット孔部３１１が設けられている。スリット孔部３１１は特許請求の範囲における係合受け部に相当するものである。また、図４に示されるように、板状部３１０の内面側の下端側には、一対の突起状のクリック係合部３１２が設けられている。クリック係合部３１２は、後述する、挟持部３２０が備えるクリック凹凸部３２３に係合するものである。
【００２５】
挟持部３２０は、ヘッドホン１００の外面側に位置する平板状の外面部３２１と、内面側（ユーザの頭に接触する側）に位置する平板状の内面部３２２とから構成されている。外面部３２１と内面部３２２とは下端側において接合されている。外面部３２１と内面部３２２の接合方法としては、例えば、ネジ止め、溶接による接合などがある。また、外面部３２１と内面部３２２とは一体成型品として、あらかじめ下端側において結合しているものとして構成されていてもよい。
【００２６】
挟持部３２０は、外面部３２１と内面部３２２の間に板状部３１０を挟み込むように構成されている。挟持部３２０は、ヘッドバンド２０、板状部３１０と略同等の幅を有するように構成されている。挟持部３２０は、板状部３１０を囲うのではなく、外面部３２１と内面部３２２とで挟むように構成することにより、板状部３１０と挟持部３２０とが略同等の幅を有するように構成することが可能となっている。第１の実施の形態においては、挟持部３２０が板状部３１０に対してスライドすることにより、ハウジング５０の位置が変化することになる。すなわち、第１の実施の形態においては挟持部３２０がスライダとして機能する。
【００２７】
挟持部３２０の上端には、板状部３１０のスリット孔部３１１に挿入されるように突起状の挿入部３２４が設けられている。図５に示されるように、挿入部３２４は、スリット孔部３１１に挿入され、挟持部３２０が板状部３１０に対してスライドする場合にスリット孔部３１１に沿って摺動するものである。挿入部３２４がスリット孔部３１１に挿通されていることにより、挟持部３２０が板状部３１０に対して横方向に動くことが規制されるので、板状部３１０と挟持部３２０とが横方向においてずれてしまうことがない。スリット孔部３１１と挿入部３２４とは特許請求の範囲における位置ずれ防止機構を構成するものである。
【００２８】
なお、挿入部３２４は、外面部３２１から内面部３２２方向に突出する突起として構成してもよいし、内面部３２２から外面部３２１方向に突出する突起として構成してもよい。また、外面部３２１と内面部３２２間に渡設され、外面部３２１と内面部３２２を接続する棒状のものとして構成してもよい。さらに、外面部３２１および内面部３２２を挿通して接続するボルトなどによって構成してもよい。
【００２９】
図４Ａに示されるように、内面部３２２の内部両側面には、複数の凹凸面により構成されたクリック凹凸部３２３が設けられている。図５に示されるように、板状部３１０の下端に設けられている突起状のクリック係合部３１２がクリック凹凸部３２３に引っ掛かることにより、スライダとして機能する挟持部３２０の位置が保持されることになる。これにより、ユーザは挟持部３２０を板状部３１０に対してスライドさせて、ハウジング５０の位置を所望の位置に固定することができる。
【００３０】
また、クリック係合部３１２がクリック凹凸部３２３の凸部分を乗り越える際に生じる音およびユーザの手に伝わる感覚により、ユーザは、スライド機構３０の動作によりハウジングの位置が変化していくことを認識することができる。
【００３１】
本実施の形態に係るヘッドホンは以上のようにして構成されている。ユーザがヘッドホンを使用する際にハウジングの位置を調整する場合、挟持部３２０を手で掴んで板状部３１０に対して上方または下方にスライドさせる。これにより、ハウジングの位置が移動するので、ユーザは頭部の大きさや耳と頭頂部との距離などに合わせてハウジング５０およびイヤパッド７０を所望の位置に合わせる事ができる。
【００３２】
＜２．第２の実施の形態＞
［２−１.ヘッドホンの構成］
次に本技術の第２の実施の形態に係るヘッドホン２００について説明する。図６および図７は、ヘッドホン２００の外観構成を示す正面図である。また、図８は、ヘッドホン２００の外観構成を示す側面図である。さらに、図９はスライド機構３５の構成を示す分解図である。第２の実施の形態におけるヘッドホン２００を構成するハンガ４０、ハウジング５０、コード６０およびイヤパッド７０は第１の実施の形態におけるものと同様であるためその説明を省略する。図６は、スライド機構３５が収納方向である上方向にスライドしている状態であり、図７は、スライド機構３５が引き出し方向である下方向にスライドしている状態である。図８は、スライド機構３５が引き出し方向である下方向にスライドしている状態における側面図である。なお、図６および図７においては、スライド機構３５の説明の便宜上、ヘッドバンド２０を覆うカバーおよびクッションは省略する。
【００３３】
第２の実施の形態におけるスライド機構３５は、板状部３６０と挟持部３７０とから構成されている。ただし、第２の実施の形態においては、ヘッドバンド２０の両端がスライド機構３５を構成する挟持部３７０として構成されている。挟持部３７０は、ヘッドバンド２０と略同等の幅を有するように構成されている。挟持部３７０をヘッドバンド２０と一体のものとして構成することにより、ヘッドバンド２０と挟持部３７０との間に継ぎ目ができないため、挟持部３７０の強度を高めることができる。ただし、ヘッドバンド２０と挟持部３７０は別個のものとして構成し、ヘッドバンド２０の両端に挟持部３７０を取り付ける構成にしてもよい。
【００３４】
挟持部３７０は、ヘッドホン２００の外面側に位置し、ヘッドバンド２０の一部として湾曲状に構成された外面部３７１と、内面側（ユーザの頭に接触する側）に位置し、ヘッドバンド２０の一部として湾曲状に構成された内面部３７２とから構成されている。外面部３７１と内面部３７２は、ヘッドバンド２０から両部分が二股に延出するように構成されている。
【００３５】
挟持部３７０の外面部３７１と内面部３７２の間に挟み込まれるように板状部３６０が設けられている。板状部３６０は、ヘッドバンド２０および挟持部３７０と略同等の幅を有するように構成されている。挟持部３７０は、板状部３６０を囲うのではなく、外面部３７１と内面部３７２とで挟むように構成することにより、板状部３６０と挟持部３７０とが略同等の幅を有するように構成することが可能となる。第２の実施の形態においては、板状部３６０が外面部３７１と内面部３７２の間において挟持部３７０に対してスライドすることにより、ハウジング５０の位置が変化することになる。すなわち、第２の実施の形態においては板状部３６０がスライダとして機能する。
【００３６】
板状部３６０の幅方向略中央には、板状部３６０の長手方向に沿って伸びる直線状のスリット孔部３６１が設けられている。スリット孔部３６１は特許請求の範囲における係合受け部に相当するものである。また、板状部３６０の内面側の下端側には、一対の突起状のクリック係合部３６２が設けられている。クリック係合部３６２は、後述する挟持部３７０が備えるクリック凹凸部３７３に係合するものである。
【００３７】
挟持部３７０の下端には、板状部３６０のスリット孔部３６１に挿入されるように突起状の挿入部３７４が設けられている。挿入部３７４は、スリット孔部３６１に挿入され、挟持部３７０が板状部３６０に対してスライドする場合にスリット孔部３６１内で摺動するものである。挿入部３７４がスリット孔部３６１に挿通されていることにより、挟持部３７０が板状部３６０に対して横方向に動くことが規制されるので、板状部３６０と挟持部３７０とが横方向においてずれてしまうことがない。スリット孔部３６１と挿入部３７４とは特許請求の範囲における位置ずれ防止機構を構成するものである。挿入部３７４の構成は第１の実施の形態と同様である。
【００３８】
内面部３７２の内部両側面には、複数の凹凸面により構成されたクリック凹凸部３７３が設けられている。板状部３６０に設けられているクリック係合部３６２がクリック凹凸部３２３に引っ掛かることにより、スライダとして機能する挟持部３７０の位置が保持されることになる。これにより、ユーザは挟持部３７０を板状部３６０に対してスライドさせて、ハウジング５０の位置を所望の位置に固定することができる。
【００３９】
また、クリック係合部３６２がクリック凹凸部３７３の凸部分を乗り越える際に生じる音およびユーザの手に伝わる感覚により、ユーザは、スライド機構３０の動作によりハウジングの位置が変化していくことを認識することができる。
【００４０】
第２の実施の形態に係るヘッドホン２００は以上のようにして構成されている。第２の実施の形態における、クリック凹凸部３７３にクリック係合部３６２が係合するクリック機構、板状部３６０のスリット孔部３６１に挟持部３７０の挿入部３７４が挿入されることによる位置ずれ防止の機構は第１の実施の形態と同様である。
【００４１】
ユーザがヘッドホン２００を使用する際にハウジング５０の位置を調整する場合、挟持部３７０を手で掴んで板状部３６０に対して上方または下方にスライドさせる。これにより、ハウジング５０の位置が移動するので、ユーザは頭部の大きさや耳と頭頂部との距離などに合わせてハウジング５０およびイヤパッド７０を所望の位置に合わせる事ができる。
【００４２】
第２の実施の形態は、第１の実施の形態における板状部３１０と挟持部３２０の関係が逆になったものであると言える。第１の実施の形態は、ヘッドバンド２０の両端に板状部３１０が設けられ、その板状部３１０に対して挟持部３２０がスライドするという構成である。それに対し、第２の実施の形態は、ヘッドバンド２０の両端に挟持部３７０が設けられ、その挟持部３７０に対して板状部３６０がスライドするという構成である。第１の実施の形態、第２の実施の形態どちらの構成であっても、本技術の目的を達成することができる。
【００４３】
以上のようにして第１の実施の形態、第２の実施の形態に係るヘッドホンが構成されている。本技術に係るヘッドホンによれば、ヘッドバンド２０と、板状部３１０および挟持部３２０とからなるスライド機構３０とが略同等の幅を有する形状のヘッドホンを実現することができる。これにより、従来にない形状を備え、自由度の高いデザインが可能なヘッドホンをユーザに提供することができる。また、ヘッドバンド２０から板状部３１０および挟持部３２０とからなるスライド機構３０までの間に細くなる箇所がないため、ヘッドホンの強度を高めることができる。
【００４４】
また、ヘッドバンド２０の内部に、スライダ部分を潜り込ませる必要が無いため、ヘッドバンドの厚みがスライダ部分の厚みを加えた分厚いものにはならない。よって、ヘッドホンの軽量化、薄型化を図ることができる。
【００４５】
また、ヘッドバンド２０とスライド機構３０との隙間が微細なものとなるため、スライド機構３０を縮めたり伸ばしたりした際に手や髪の毛などを挟み込んでしまうことを防止することができる。
【００４６】
また、挟持部３７０の内部にクリック機構を設けているため、ユーザに視認させることなくヘッドホンにクリック機構を持たせることができる。
【００４７】
＜３．変形例＞
以上、本技術の一実施の形態について具体的に説明したが、本技術は上述の実施形態に限定されるものではなく、本技術の技術的思想に基づく各種の変形が可能である。
【００４８】
図１０に示されるように、板状部３６０と挟持部３７０の間であって例えば挟持部３７０の上端に保護部８０を設けてもよい。保護部８０は、ゴム、スポンジ状部材、多数の繊維を備える部材など柔軟性を有する素材により構成するとよい。保護部８０は、板状部３６０と挟持部３７０とがスライドすることにより、傷がついてしまうことを防止するものである。保護部８０は第１の実施の形態、第２の実施の形態のいずれにも設けることが可能である。
【００４９】
図１１は、第２の変形例に係るスライド機構を構成する板状部８１０と挟持部８２０の変形例を示す図である。変形例においては、板状部８１０の下端に幅方向略中央が長手方向に凹んだ凹み部８１１が形成されることにより、板状部８１０は平面視で略コ字状に構成されている。凹み部８１１の一対の内側面の片側には、複数の凹凸からなるクリック凹凸部８１２が設けられている。
【００５０】
また、板状部８１０の幅方向略中央には、板状部８１０の長手方向に沿って伸びる直線状のスリット孔部８１３が設けられている。スリット孔部８１３は特許請求の範囲における係合受け部に相当するものである。
【００５１】
一方、挟持部８２０は、外面部８２１と内面部８２２との間において下端から上方に延びる延出部８２３が設けられている。延出部８２３は、板状部８１０の凹み部８１１内に入り込んでおり、挟持部８２０が板状部８１０に対してスライドする際に板状部８１０の凹み部８１１内で摺動するように構成されている。
【００５２】
また、延出部８２３内には、板状部８１０のクリック凹凸部８１２に係合するための係合部８２４が設けられている。係合部８２４は、凹み部８１１の片側側面に設けられたクリック凹凸部８１２方向に常時突き出るようにバネなどの弾性体８２５により付勢されている。
【００５３】
挟持部８２０の上端には、板状部８１０のスリット孔部８１３に挿入されるように突起状の挿入部８２６が設けられている。挿入部８２６は、スリット孔部８１３に挿入され、挟持部８２０が板状部８１０に対してスライドする場合にスリット孔内で摺動するものである。挿入部８２６がスリット孔部８１３に挿通されていることにより、挟持部８２０が板状部８１０に対して横方向に動くことが規制されるので、板状部８１０と挟持部８２０とが横方向においてずれてしまうことがない。スリット孔部８１３と挿入部８２６とは特許請求の範囲における位置ずれ防止機構を構成するものである。
【００５４】
板状部８１０に対して挟持部８２０がスライドする際に、挟持部８２０の係合部８２４が板状部８１０のクリック凹凸部８１２に引っ掛かることによって、スライダとして機能する挟持部８２０の位置が保持されることになる。これにより、ユーザは挟持部８２０を板状部８１０に対してスライドさせて、ハウジングの位置を所望の位置に固定することができる。
【００５５】
また、クリック係合部８２４がクリック凹凸部８１２の凸部分を乗り越える際に生じる音により、ユーザは、スライド機構３０の動作によりハウジングの位置が変化していくことを認識することができる。スライド機構３０の板状部８１０と挟持部８２０はこのように構成してもよい。
【００５６】
また、実施の形態ではスリット孔部８１３が係合受け部として機能するものであるが、係合受け部は貫通した孔状に限られず、溝状に構成してもよい。溝状に構成された係合受け部に挟持部８２０に設けられた挿入部８２６としての突起が入り込み、スライドの際に溝に沿って挿入部８２６が摺動することにより、板状部８１０に対して挟持部８２０が横方向にずれることを規制することができる。
【００５７】
図１２は、第３の変形例に係るヘッドホンの構成を示す分解側面図である。図１２は、挟持部３２０の外面部３２１を除いた状態である。本変形例においては、一方のハウジング５０から他方のハウジング５０へヘッドバンド２０を介して渡るように設けられている内部コード９００を挟持部３２０内に収納するように構成されている。内部コード９００は、音声信号伝送用のグランド線および左チャンネル用導線または右チャンネル用導線を被覆したものである。
【００５８】
この構成によれば、コード６０の一端を一対のハウジング５０のうち一方のハウジング５０内に収容された音声処理回路に接続すればよい。この場合、コード６０が接続されてない他方のハウジング５０内のスピーカを駆動するために、コード６０が接続された一方のハウジング５０と、コード６０が接続されていない他方のハウジング５０との間には、内部コード９００が設けられることとなる。この内部コード９００は、コード６０またはコード６０が接続されたハウジング５０内の音声処理回路に接続され、ハンガ４０、スライダ３及びヘッドバンド２０の内部を挿通して他方のハウジング５０内の音声処理回路に接続される。この接続コードによって、コード６０が接続されていない他方のハウジング５０内の音声処理回路に音声信号が伝送される。
【００５９】
図１２Ａはスライダとしての挟持部３２０を下方にスライドさせることにより、ハウジング５０が下方に位置している状態であり、図１２Ｂはスライダとしての挟持部３２０が上方にスライドした状態を示すものである。挟持部３２０が上方にスライドした状態においては、挟持部３２０内の収納スペースが狭くなり、内部コード９００は収納された状態のまま挟持部３２０内で折り畳まれた状態となる。このように挟持部３２０内に内部コード９００を収納することにより内部コード９００を外部に露出させることなく左右のハウジング間に渡すことができる。また、左右のハウジングの両方に内部コード９００を接続する必要がなくなるため内部コード９００の煩わしさを軽減することができる。
【００６０】
また、本技術は以下のような構成も取ることができる。
（１）
ヘッドバンドと、
該ヘッドバンドの両端に設けられており、板状部と、該板状部を挟む挟持部とから構成されているスライド機構と、
該スライド機構の下端に設けられ、音声出力部を収納するハウジングと
を備えるヘッドホン。
（２）
前記ヘッドバンドと前記板状部は略同等の幅を有するように構成されている
（１）に記載のヘッドホン。
（３）
前記板状部と前記挟持部は略同等の幅を有するように構成されている
（２）に記載のヘッドホン。
（４）
前記板状部は前記ヘッドバンド側に設けられており、前記挟持部は前記ハウジング側に設けられており、前記挟持部が前記板状部に対してスライドする
（１）から（３）のいずれかに記載のヘッドホン。
（５）
前記挟持部は前記ヘッドバンド側に設けられており、前記板状部は前記ハウジング側に設けられており、前記板状部が前記挟持部に対してスライドする
（１）から（４）のいずれかに記載のヘッドホン。
（６）
さらに、前記板状部と挟持部の幅方向における位置のずれを防止する位置ずれ防止機構を備える
（１）から（５）のいずれかに記載のヘッドホン。
（７）
前記位置ずれ防止機構は、前記板状部に設けられた、該板状部の長手方向に沿った縦長の係合受け部と、前記挟持部に設けられており、前記係合受け部に入り込む挿入部とから構成されている
（６）に記載のヘッドホン。
（８）
前記挟持部は、外面部と内面部とからなり、
前記係合受け部は、前記板状部の長手方向に沿った縦長の穴であり、
前記挿入部は、前記係合受け部に挿通され、前記外面部と前記内面部とを接続する
（１）から（７）のいずれかに記載のヘッドホン。
（９）
前記挟持部の前記板状部側に面に保護部が設けられている
（１）から（８）のいずれかに記載のヘッドホン。
【符号の説明】
【００６１】
１００、２００・・・・・・・ヘッドホン
２０・・・・・・・・・・・・ヘッドバンド
３０、３５、８０・・・・・・スライド機構
３１０、３６０、８１０・・・板状部
３２０、３７０、８２０・・・挟持部
５０・・・・・・・・・・・・ハウジング
３１１、３６１・・・・・・・スリット孔部
８０・・・・・・・・・・・・保護部
【図１】
2016015609.tif 000003
【図２】
2016015609.tif 000004
【図３】
2016015609.tif 000005
【図４】
2016015609.tif 000006
【図５】
2016015609.tif 000007
【図６】
2016015609.tif 000008
【図７】
2016015609.tif 000009
【図８】
2016015609.tif 000010
【図９】
2016015609.tif 000011
【図１０】
2016015609.tif 000012
【図１１】
2016015609.tif 000013
【図１２】
2016015609.tif 000014